(57)【要約】【課題】  陳列スペースを抑制しつつ、着用された態様をより具体的にイメージさせることが可能なネクタイ包装体を提供すること。【解決手段】  ネクタイ１と、ネクタイ１を支持する支持体２と、を備えるネクタイ包装体Ａ１であって、支持体２は、厚さ方向において互いに反対側を向く前面２２および背面２３を有する不透過の主板部２１を有しており、主板部２１の前面２２には、上半身に着用する衣類の正面画２４が記載されており、ネクタイ１の小剣１２の少なくとも一部が、主板部２１の前面２２側に露出しており、且つネクタイ１の大剣１１が、主板部２１の背面２３側に位置する。【選択図】  図１
2015209232.tif 000002
【特許請求の範囲】
【請求項１】
ネクタイと、
前記ネクタイを支持する支持体と、を備えるネクタイ包装体であって、
前記支持体は、厚さ方向において互いに反対側を向く前面および背面を有する不透過の主板部を有しており、
前記主板部の前記前面には、上半身に着用する衣類の正面画が記載されており、
前記ネクタイの小剣の少なくとも一部が、前記主板部の前記前面側に露出しており、且つ前記ネクタイの大剣が、前記主板部の前記背面側に位置することを特徴とする、ネクタイ包装体。
【発明の詳細な説明】
【技術分野】
【０００１】
本発明は、店頭などにおけるネクタイの陳列に用いられるネクタイ包装体に関する。
【背景技術】
【０００２】
ネクタイは、主に男性が着用する装飾品の一種であり、一般的に男性洋品店において販売される。特許文献１には、店頭においてネクタイを陳列するためのネクタイ包装体が提案されている。同文献に開示された発明においては、ネクタイをワイシャツ等に固定するネクタイ取付具が用いられる。このネクタイ取付具によって、ネクタイが大剣を前面側に表した状態でワイシャツに取り付けられ、これらが一体的に陳列される。これにより、ネクタイが着用された態様を、購入希望者に具体的にイメージさせることができる。
【０００３】
しかし、ネクタイとともにワイシャツ等が一体化されているため、ネクタイ単品が陳列される場合と比べて、より大きな陳列スペースを必要とする。また、ネクタイのみを購入したい購入希望者は、ワイシャツ等を合わせて購入することに躊躇する。
【先行技術文献】
【特許文献】
【０００４】
【特許文献１】特開２００２−３１１号公報
【発明の概要】
【発明が解決しようとする課題】
【０００５】
本発明は、上記した事情のもとで考え出されたものであって、陳列スペースを抑制しつつ、着用された態様をより具体的にイメージさせることが可能なネクタイ包装体を提供することをその課題とする。
【課題を解決するための手段】
【０００６】
本発明によって提供されるネクタイ包装体は、ネクタイと、前記ネクタイを支持する支持体と、を備えるネクタイ包装体であって、前記支持体は、厚さ方向において互いに反対側を向く前面および背面を有する不透過の主板部を有しており、前記主板部の前記前面には、上半身に着用する衣類の正面画が記載されており、前記ネクタイの小剣の少なくとも一部が、前記主板部の前記前面側に露出しており、且つ前記ネクタイの大剣が、前記主板部の前記背面側に位置することを特徴としている。
【発明の効果】
【０００７】
本発明によれば、前記衣類正面画に組み合わされるのは、前記ネクタイの前記大剣ではなく前記小剣である。前記小剣は、一般的に前記大剣よりも幅が狭い。この幅狭の前記小剣に組み合わされる前記衣類正面画は、実物の背広等と比べて小さく描くことができる。したがって、たとえば本物のワイシャツと前記ネクタイとを一体化して組み合わせた場合と比べて、前記ネクタイ包装体の小型化を図ることができる。また、前記小剣は、前記ネクタイが着用された際に前面に表れる部位ではないが、一般的に前記小剣は前記大剣と同様の色目や図柄が施されている。このため、前記衣類正面画には、前記大剣ではなく前記小剣が重ね合わされているものの、前記ネクタイが実際に着用された際の様子を具体的に把握することが可能である。したがって、前記ネクタイ包装体によれば、陳列スペースを抑制しつつ、着用された態様をより具体的にイメージさせることができる。
【０００８】
本発明のその他の特徴および利点は、添付図面を参照して以下に行う詳細な説明によって、より明らかとなろう。
【図面の簡単な説明】
【０００９】
【図１】本発明の第一実施形態に基づくネクタイ包装体を示す斜視図である。
【図２】図１のＩＩ−ＩＩ線に沿う断面図である。
【図３】図１のネクタイ包装体の形成過程を示す斜視図である。
【図４】本発明の第二実施形態に基づくネクタイ包装体を示す斜視図である。
【発明を実施するための形態】
【００１０】
以下、本発明の好ましい実施の形態につき、図面を参照して具体的に説明する。
【００１１】
図１および図２は、本発明の第一実施形態に基づくネクタイ包装体を示している。本実施形態のネクタイ包装体Ａ１は、ネクタイ１および支持体２を備えている。図３は、ネクタイ包装体Ａ１を形成する過程を示している。
【００１２】
支持体２は、ネクタイ１を支持するものであり、さらに本実施形態においては主にネクタイ１の大剣１１を覆っている。支持体２は、主板部２１、側板部２８および背板部２９を有しており、薄型の箱状である。なお、支持体２は、たとえば主板部２１のみを有する平板状であってもよい。支持体２の材質は特に限定されず、本実施形態においては厚紙が用いられている。これにより、主板部２１は、不透過である。
【００１３】
主板部２１は、厚さ方向において互いに反対側を向く前面２２および背面２３を有している。前面２２には、衣類正面画２４が記載されている。衣類正面画２４は、上半身に着用される衣服の正面画であり、特に、ネクタイと合わせて着用される衣服が選択される。本実施形態においては、ワイシャツとこのワイシャツに重ねて着用された背広とが描かれている。
【００１４】
また、主板部２１には、露出用開口２６および被覆用開口２７が形成されている。露出用開口２６は、背面２３側から前面２２側へとネクタイ１の小剣１２の少なくとも一部を露出させるための開口である。被覆用開口２７は、露出用開口２６から露出したネクタイ１の小剣１２の先端を、背面２３側へ挿入することにより主板部２１によって覆うための開口である。図３に示すように、露出用開口２６は、衣類正面画２４の首付近に当たる位置に形成されている。また、被覆用開口２７は、衣類正面画２４の襟２５の内端に沿った逆三角形状とされている。
【００１５】
ネクタイ包装体Ａ１を形成する一手について説明する。図３に示すように、ネクタイ１のうち大剣１１を含む部分を支持体２に収容可能な大きさに折り畳む。そして、この折り畳まれた大剣１１を主板部２１と背板部２９との間に位置させる。次いで、露出用開口２６を通して、小剣１２を主板部２１の背面２３側から前面２２側へと引き出す。そして、小剣１２の先端を被覆用開口２７を通して、主板部２１の前面２２側から背面２３側へと挿入する。これにより、図１に示すように、支持体２の衣類正面画２４とネクタイ１の小剣１２とが重なりあった態様のネクタイ包装体Ａ１が完成する。
【００１６】
次に、ネクタイ包装体Ａ１の作用について説明する。
【００１７】
本実施形態によれば、衣類正面画２４に組み合わされるのは、ネクタイ１の大剣１１ではなく小剣１２である。小剣１２は、一般的に大剣１１よりも幅が狭い。この幅狭の小剣１２に組み合わされる衣類正面画２４は、実物の背広等と比べて小さく描くことができる。したがって、たとえば本物のワイシャツとネクタイ１とを一体化して組み合わせた場合と比べて、ネクタイ包装体Ａ１の小型化を図ることができる。また、小剣１２は、ネクタイ１が着用された際に前面に表れる部位ではないが、一般的に小剣１２は大剣１１と同様の色目や図柄が施されている。このため、衣類正面画２４には、大剣１１ではなく小剣１２が重ね合わされているものの、ネクタイ１が実際に着用された際の様子を具体的に把握することが可能である。したがって、ネクタイ包装体Ａ１によれば、陳列スペースを抑制しつつ、着用された態様をより具体的にイメージさせることができる。
【００１８】
衣類正面画２４の襟２５の内端に沿った形状とされた被覆用開口２７にネクタイ１の小剣１２を挿入することにより、背広を着用した場合に、ネクタイ１がどのような様子で観察されるかをより具体的にイメージすることができる。支持体２を全体として箱状とすることにより、収容された大剣１１などを保護できる。また、大剣１１が外観に表れないため、実物より小型の衣類正面画２４と小剣１２との組み合わせであるものの、実物の衣類と大剣１１とが組み合わされたものであるかのように、購入者にイメージさせることができる。
【００１９】
図４は、本発明の第二実施形態に基づくネクタイ包装体を示している。なお、本図において、上記実施形態と同一または類似の要素には、上記実施形態と同一の符号を付している。
【００２０】
図４に示すネクタイ包装体Ａ２においては、主板部２１に露出用開口２６が形成されているものの、被覆用開口２７は形成されていない。また、衣類正面画２４は、ワイシャツのみが描かれたものである。このような実施形態によれば、たとえば夏季において背広を着用しない際に、ネクタイ１とワイシャツとが組み合わされた態様をイメージすることができる。また、小剣１２は、一般的にその先端が大剣１１と同様に尖った形状とされる。このため、小剣１２の先端が主板部２１の前面２２に表れている状態を、あたかも大剣１１の先端が表れていると思わせることができる。
【００２１】
本発明に係るネクタイ包装体は、上述した実施形態に限定されるものではない。本発明に係るネクタイ包装体の各部の具体的な構成は、種々に設計変更自在である。たとえば、主板部２１に露出用開口２６を形成することに変えて、主板部２１の上端部にネクタイ１の厚さ分程度の凹みを設け、この凹みを経由してネクタイ１の小剣１２を主板部２１の前面２２側に露出させてもよい。
【符号の説明】
【００２２】
Ａ１，Ａ２      ネクタイ包装体
１      ネクタイ
１１    大剣
１２    小剣
２      支持体
２１    主板部
２２    前面
２３    背面
２４    衣類正面画
２５    襟
２６    露出用開口
２７    被覆用開口
２８    側板部
２９    背板部
【図１】
2015209232.tif 000003
【図２】
2015209232.tif 000004
【図３】
2015209232.tif 000005
【図４】
2015209232.tif 000006